(57)【要約】【課題】貯湯式給湯装置において、加熱能力の低い燃料電池や電気ヒーターで滅菌処理を行うと、滅菌処理に時間がかかり、その間は貯湯タンクの温水を給湯などに使用出来なくなるだけでなく、水道水などを熱源機により加熱し給湯に使用するため総合的なエネルギー効率が悪化する。【解決手段】貯湯タンク２から送られた温水は熱源機３で加熱され、その温水は給湯で必要とされる温水を消費したのちに貯湯タンク２へ戻す構成としたものであり、滅菌処理時に貯湯タンクの温水の加熱を、熱源機の加熱能力をもって加熱することが可能であり、短時間で貯湯タンク内部の温水を滅菌処理することが出来る。これにより、貯湯タンクに貯湯された温水は早期に給湯などに使用できる状態となり、熱源機によって水道水などを直接加熱して給湯などに使用する時間が減り、エネルギー効率を高めることができる。【選択図】図１
2010276208.tif 000002
【特許請求の範囲】
【請求項１】
貯湯タンクと、前記貯湯タンクからおくられた温水を加熱する熱源機と、前記貯湯タンク上部の温水を前記熱源機へおくる熱源給水経路と、前記熱源給水経路を開閉可能に前記熱源給水経路に設けられた熱源給水経路遮断手段と、前記熱源機で加熱された温水を前記貯湯タンク上部へもどす温水循環経路と、前記温水循環経路内の温水を所定の方向に循環させる温水循環手段と、前記温水循環手段の上流側で前記温水循環経路より分岐され給湯栓へ温水をおくる給湯経路と、前記貯湯タンク下部の温水（または水）を前記熱源給水経路遮断手段より下流の前記熱源給水経路へおくる加熱給水経路と、前記加熱給水経路を開閉可能に前記加熱給水経路に設けられた加熱給水経路遮断手段とを備え、前記貯湯タンク全体を熱湯で滅菌処理する滅菌処理運転を行う場合に、前記加熱給水経路遮断手段を開いて前記貯湯タンク下部の温水（または水）を前記熱源機で加熱し、通常の貯湯運転を行う場合に、前記加熱供給経路遮断手段を閉じて前記貯湯タンク上部の温水を循環させる貯湯式給湯装置。
【請求項２】
前記温水循環手段より下流側の前記温水循環経路より分岐され、前記熱源機で加熱された温水を前記貯湯タンク中間部へもどすタンク側温水循環経路と、前記熱源機で加熱された温水を、前記タンク側温水循環経路を使って前記貯湯タンク中間部へもどすか、前記タンク側温水循環経路を使わずに前記貯湯タンク上部にもどすかを選択するための切替手段とを備えた請求項１記載の貯湯式給湯装置。
【請求項３】
前記温水循環手段より下流側の前記温水循環経路より分岐され、前記熱源機で加熱された温水を前記給水経路へおくる循環バイパス経路と、前記熱源機で加熱された温水を、前記循環バイパス経路を使って前記熱源給水経路へおくるか前記循環バイパス経路を使わずに前記貯湯タンク上部にもどすかを選択するための切替手段を備えていることを特徴とする請求項１記載の貯湯式給湯装置。
【請求項４】
前記滅菌処理に使用される熱量は、前記熱源機の最大加熱能力範囲内であって且つ滅菌処理中に給湯に使用される熱量が増えたら減り、滅菌処理中に給湯に使用される熱量が減れば増えることを特徴とする請求項１〜３の何れか１項に記載の貯湯式給湯装置。
【請求項５】
前記滅菌処理の終了を判定する前記滅菌処理終了手段を備え、前記滅菌処理終了判定手段が前記滅菌処理の終了を判定すると前記熱源給水経路遮断手段が開き、前記加熱給水経路遮断手段が閉じるよう構成したことを特徴とする請求項１〜４の何れか１項に記載の貯湯式給湯装置。
【発明の詳細な説明】
【技術分野】
【０００１】
本発明は、ガス発電、燃料電池などの発電部の発電により発生した排熱を貯湯タンクに貯湯し、貯湯タンクに貯湯した温水を、給湯や風呂の追い焚き、さらには暖房に使用することを目的とした貯湯式給湯装置に関し、特に、長期にわたり貯湯タンクの温水が使用されていない場合に、貯湯タンクからレジオネラ菌が含まれた温水が給湯や浴槽に供給されることを防止する貯湯式給湯装置に関するものである。
【背景技術】
【０００２】
ガス発電、燃料電池などの発電部の発電により発生した排熱を貯湯タンクに貯湯し、給湯や風呂の追い焚き、さらには暖房に使用することを目的とした貯湯式給湯装置が開発されている。この種の貯湯式給湯装置は、発電部の発電により発生した排熱を給湯などに利用する為、バーナなどで直接的に水道水を過熱し給湯などを行うシステムと比較すると、エネルギー効率が高い。しかしながら、発電部の発電により発生した排熱を一度貯湯タンクに貯湯するため、貯湯された温水が長期にわたり使用されない場合、貯湯タンク内部の温水に雑菌が繁殖する場合があり、特に人体に有害な雑菌が繁殖している可能性のある場合には、貯湯タンク内部の温水は滅菌処理したのちに給湯などに使用される形態とする貯湯式給湯装置が要求されている。このような貯湯式給湯装置は例えば特許文献１に記載されているようなものがある。
【０００３】
図４に示すように、従来の貯湯式給湯装置は、燃料電池５と、貯湯タンク１０と、電気ヒーター２７と、給湯流路３０と、熱源機３１と、給湯側三方弁３２と、給湯用給水流路５１とで構成され、燃料電池５の発電によって発生した排熱は、貯湯タンク１０に温水として貯湯される。貯湯タンク１０に貯湯された温水は給湯経路３０を流れ、給湯側三方弁３２と熱源機３１を経由し給湯される。貯湯タンク１０に貯湯されている温水が長期間にわたり使用されていない場合には、給湯側三方弁３２を作動させることにより、貯湯タンク１０に貯湯された温水が給湯経路３０へ流入することを阻止するとともに給湯用給水流路５１側より給水される新鮮な水が給湯経路３０に流入可能な状態とし、貯湯タンク１０に貯湯された温水を燃料電池５または電気ヒーター２７により加熱することにより貯湯された温水を滅菌処理する。このとき、給湯は給湯用給水経路５１側より給湯経路３０へ流入する新鮮な水を熱源機３１で加熱し使用される。
【０００４】
かかる形態によれば、貯湯タンク１０に貯湯された温水を確実に滅菌処理することができ、滅菌処理中であっても給湯が行える。
【先行技術文献】
【特許文献】
【０００５】
【特許文献１】特開２００６−３４９３２３号公報
【発明の概要】
【発明が解決しようとする課題】
【０００６】
しかしながら、前記従来の構成では、滅菌処理時に貯湯タンク内の温水を再加熱する手段は燃料電池や電気ヒーターであり、一般に、これらの加熱手段はバーナなどで直接加熱する熱源機より加熱能力が低い。そのため、滅菌処理が完了するまでにかなりの時間を要し、その間は貯湯タンクの温水を給湯などに使用出来なくなるだけでなく、水道水などを熱源機により加熱し給湯に使用するため総合的なエネルギー効率が悪化するという課題を有していた。
【０００７】
本発明は、前記従来の課題を解決するもので、給湯や風呂の追い焚き、さらには暖房といった複数の目的に、貯湯タンクで貯湯された温水や、熱源機で加熱された温水を使用する貯湯式給湯装置において、短時間での滅菌処理を可能とし、エネルギー効率を高めた貯湯式給湯装置を提供することを目的とする。
【課題を解決するための手段】
【０００８】
前記従来の課題を解決するために、本発明の貯湯式給湯装置は、貯湯タンクから送られた温水は熱源機で加熱され、その温水は給湯で必要とされる温水を消費したのちに貯湯タンクへ戻す構成としたものである。
【０００９】
上記発明によれば、貯湯タンクよりおくられる温水は熱源機で加熱されたのちに貯湯タンクへ戻されるため、滅菌処理時に貯湯タンクの温水の加熱を、熱源機の加熱能力をもって加熱することが可能であり、短時間で貯湯タンク内部の温水を滅菌処理することが出来る。これにより、貯湯タンクに貯湯された温水は早期に給湯などに使用できる状態となり、熱源機によって水道水などを直接加熱して給湯などに使用する時間が減り、エネルギー効率を高めることができる。
【発明の効果】
【００１０】
本発明の貯湯式給湯装置によれば、短時間で貯湯タンクの滅菌処理を行うことにより、総合的なエネルギー効率を高めることができる。
【図面の簡単な説明】
【００１１】
【図１】本発明の実施の形態１における貯湯式給湯装置の構成図
【図２】本発明の実施の形態２における貯湯式給湯装置の構成図
【図３】本発明の実施の形態３における貯湯式給湯装置の構成図
【図４】従来の貯湯式給湯装置の構成図
【発明を実施するための形態】
【００１２】
第１の発明は、滅菌処理中において、貯湯タンク下部から熱源機に送られ、熱源機で加熱された温水は給湯で必要とされる温水を消費したのちに貯湯タンク上部にもどす構成とし、熱源機を使用して貯湯タンクの温水の滅菌処理を行うことにより、短時間で滅菌処理を行うことができ、エネルギー効率を高めることができる。また、熱源機で加熱された温水を貯湯タンクにもどす経路上に給湯へ温水を導く経路を分岐することにより滅菌処理中であっても給湯を使用することができ、利便性が損なわれることもない。
【００１３】
第２の発明は、特に第１の発明の熱源機で加熱された温水を貯湯タンク上部にもどす構成に貯湯タンク中間部にもどす経路を追加し、熱源機を経由した温水を貯湯タンク上部にもどすか貯湯タンク中間部にもどすかを選択してもどす構成とすることにより、熱源機を経由した温水の温度が低い場合においても貯湯タンクの温度成層状態を維持することができ、給湯や風呂または暖房に安定した温度の温水を供給することができる。
【００１４】
第３の発明は、特に第１の発明の熱源機で加熱された温水を貯湯タンク上部にもどす構成に熱源機にもどす経路を追加し、熱源機を経由した温水を貯湯タンク上部にもどすか熱源機にもどすかを選択してもどす構成とすることにより、熱源機を経由した温水の温度が低い場合においても貯湯タンクの温度成層状態を維持することができ、給湯や風呂または暖房に安定した温度の温水を供給することができる。
【００１５】
第４の発明は、特に第１〜第３の何れか１つの発明において滅菌処理に使用される熱量を滅菌処理中に給湯に使用される熱量の変化に応じ増減させる形態とすることにより、給湯が使用されている状態においても熱源機の加熱能力を最大限使用し滅菌処理を短時間で
行うことができ、エネルギー効率を高めることができる。
【００１６】
第５の発明は、特に第１〜第４の何れか１つの発明において滅菌処理の終了を判定する手段を備え、滅菌処理終了判定手段が滅菌処理終了の判定をすると、貯湯タンク下部から熱源機へ温水がおくられるのを遮断し、貯湯タンク上部から熱源機へ温水がおくられる形態となり、貯湯タンクの温水を給湯などに使用することができる状態となる。これにより、熱量の過不足なく滅菌処理を完了することができ、エネルギー効率を高めることができる。
【００１７】
以下、本発明の実施の形態について、図面を参照しながら説明する。なお、本実施の形態によって本発明が限定されるものではない。
【００１８】
（実施の形態１）
図１は、本発明の実施の形態１における貯湯式給湯装置の構成図である。基本構成としてガス発電や燃料電池などの発電を行う発電部１、発電により発生する排熱を回収し貯湯する貯湯タンク２、貯湯タンク２に貯湯された温水が給湯などに必要な温水温度より低い場合に、貯湯された温水を加熱する熱源機３を設けている。
【００１９】
発電部１は、排熱回収用熱交換器２０、排熱循環ポンプ２１を備えている。発電部１は、排熱循環ポンプ２１を駆動させることにより貯湯タンク２内部の温水を、貯湯タンク２下部に接続された排熱回収循環往路２２を経由し、排熱回収用熱交換器２０に送る。排熱回収用熱交換器２０に送られた温水は、発電部１が発電を行うことにより発生する排熱を利用し排熱回収用熱交換器２０により加熱される。排熱回収用熱交換器２０により加熱された温水は排熱回収循環復路２３を経由し貯湯タンク２上部に戻される。
【００２０】
熱源機３は、従来より公知である給湯器と同様に、バーナ３１と熱交換器３２とを備え、ガスや石油などの燃料を燃焼させることによって湯水を加熱する形態であり、発電部１より加熱能力が高い。
【００２１】
滅菌処理中などの特別な運転状態でない場合に、使用者が給湯を行うために給湯栓６が開かれた場合には、給水経路８に接続されている給水水量検出手段である給水水量センサ１０が水の流れを検知し、貯湯ユニットコントローラ１１へ信号を送る。ここで貯湯ユニットコントローラ１１によって給湯が使用されているか否かが判断される。
【００２２】
貯湯ユニットコントローラ１１によって給湯が使用されていると判断された場合、貯湯タンク２に貯湯された温水は貯湯タンク２上部に接続された熱源給水経路７と、熱源機３と、温水循環経路１６を経由し、温水循環経路１６より分岐された給湯経路１７におくられ、給水経路８より分岐され給湯経路１７に接続された給湯給水経路９より送られる水道水と混合され給湯栓６へと導かれる。
【００２３】
このとき、貯湯タンク２上部から熱源機３へおくられる温水を遮断するために熱源給水経路７に備えられた開閉可能な熱源給水経路遮断手段である熱源給水遮断弁４０は開状態となっており、貯湯タンク２上部から熱源機３へ温水をおくることが可能な状態となっている。また、貯湯タンク２下部より熱源機３へ温水をおくるための加熱給水経路１５に、貯湯タンク２下部より熱源機３へおくられる温水を遮断するために備えられた開閉可能な加熱給水経路遮断手段である加熱給水遮断弁４１は閉状態となっており、貯湯タンク２下部から熱源機３への温水の供給は遮断されている。
【００２４】
給湯栓６へ導かれる温水の混合水量割合は、貯湯ユニットコントローラ１１が、リモコン１２より送られる使用者が要求する給湯温度の信号および給湯経路１７に取り付けられ
た第１給湯サーミスタ５０の温度信号、給水経路８に取り付けられた給水サーミスタ５１の温度信号、温水循環経路１６に取り付けられた温水循環サーミスタ５２の温度信号、さらには給水水量センサ１０の検出水量により、熱源機３の最大加熱能力範囲内で、給湯栓６へ導かれる混合された温水温度が使用者の要求する給湯温度となるように給湯水量制御１３および給水水量制御１４を制御し、混合される水量配分が調整される。
【００２５】
ここで、熱源給水経路７に取り付けられた熱源給水サーミスタ６０で貯湯タンク２上部から熱源機３におくられる温水の温度を検出し、貯湯タンク２上部から熱源機３におくられる温水の温度が、使用者が要求する給湯温度以上であれば熱源機３で温水を加熱せずとも使用者が要求する給湯温度の温水を給湯栓６へ供給することができるため熱源機３は加熱運転を行わないよう貯湯ユニットコントローラ１１により制御される。逆に、貯湯タンク２上部から熱源機３におくられる温水の温度が、使用者が要求する給湯温度により低い場合には熱源機３の加熱運転を行うよう貯湯ユニットコントローラ１１が制御する。
【００２６】
滅菌処理は、上記した給湯の使用が終了したのち、長期間にわたり貯湯タンク２内に貯湯されている温水が給湯などに使用されていない場合に、その貯湯タンク２内部温水の不使用時間などの条件により貯湯ユニットコントローラ１１が判断し、滅菌処理が開始される。
【００２７】
滅菌処理が開始されると、熱源給水経路７に備えられた熱源給水遮断弁４０が閉状態となり、加熱給水経路１５に備えられた加熱給水遮断弁４１は開状態となる。これにより貯湯タンク２上部から熱源機３への温水の供給を遮断するとともに貯湯タンク２下部から熱源機３への温水の供給を許容する。つぎに、温水循環経路１６に備えた温水循環経路１６内の温水を所定の方向に循環させる温水循環手段である温水循環ポンプ１８が貯湯ユニットコントローラ１１の信号により駆動する。
【００２８】
温水循環ポンプ１８が駆動すると、貯湯タンク２下部より熱源機３へ貯湯タンク２内部の温水がおくられ、熱源機３で加熱される。熱源機３で加熱された温水は温水循環経路１６を経由し、貯湯タンク２上部にもどされる。このとき、熱源機３は貯湯ユニットコントローラ１１の信号により加熱運転を行う状態となっており、レジオネラ菌などの雑菌が瞬時に死滅する温度（例えば８５℃）まで加熱を行うように設定されている。これにより、熱源機３を経由し滅菌された温水は貯湯タンク２上部より除々に蓄積され、最終的に貯湯タンク２内の温水全てを滅菌処理する。
【００２９】
滅菌処理中に給湯栓６が使用者によって開かれ給湯が使用される場合は、温水循環経路１６を流れる熱源機３によって滅菌された温水を給湯経路１７におくることにより給湯を行う。使用者によって給湯が使用されている状態においても温水循環ポンプ１８を駆動させることにより、熱源機３で加熱し滅菌された温水を貯湯タンク２上部におくり、貯湯タンク２内の温水の滅菌処理と給湯を同時におこなう。
【００３０】
かかる形態によれば、発電部１より加熱能力が高い熱源機３の加熱能力を用いて貯湯タンク２に貯湯された温水の滅菌処理をおこなうことができるため、発電部１を用いて滅菌処理を行うよりも早く滅菌処理を完了することができる。これにより、貯湯タンク２に貯湯された温水は早期に給湯などに使用できる状態となり、熱源機３によって水道水などを直接加熱して給湯などに使用する時間が減り、エネルギー効率を高めることができる。また、滅菌処理中であっても使用者は給湯を使用することができ、使用者の利便性を損なうこともない。
【００３１】
（実施の形態２）
図２は、本発明の実施の形態２における貯湯式給湯装置の構成図である。図２において
、図１と同じ構成要素については同じ符号を用い、説明を省略する。
【００３２】
図２の貯湯式給湯装置は、貯湯タンク２に貯湯された温水を用い、風呂用熱媒体と熱交換を行うための風呂用熱交換器４と、温水循環経路１６を流れる温水を貯湯タンク２中間部へもどすか、貯湯タンク２上部にもどすかを選択するための切替手段である循環三方弁２６とを備えている。
【００３３】
滅菌処理中などの特別な運転状態でない場合に使用者が風呂追い焚きを行う場合、使用者が風呂追い焚きを行うためにリモコン１２を操作すると、貯湯ユニットコントローラ１１に信号がおくられる。貯湯ユニットコントローラ１１はリモコン１２からの風呂追い焚き信号を受けると温水循環ポンプ１８を駆動させるとともに風呂温水循環経路１９に備えてある風呂用電磁弁２５を開くことにより、貯湯タンク２の温水は熱源給水経路７を経由し熱源機３におくられる。
【００３４】
熱源機３におくられた温水は、熱源給水経路７に取り付けられた熱源給水サーミスタ６０で検出される温度によって、風呂追い焚きに必要とされる温度以上であれば熱源機３で加熱することなく温水循環経路１６へおくられ、風呂追い焚きに必要とされる温度より低い温度であれば熱源機３で加熱され温水循環経路１６へおくられるよう貯湯ユニットコントローラ１１により制御される。温水循環経路１６へおくられた温水は温水循環経路１６より分岐された風呂温水循環経路１９へ導かれ、風呂用熱交換器４により熱交換される。風呂用熱交換器４により熱交換された温水は温水循環経路１６を経由し貯湯タンク２へ戻される。
【００３５】
このとき、風呂用熱交換器４を経由し温水循環経路１６を流れる温水は温水循環サーミスタ５２で検出される温度によって、貯湯タンク２上部にもどすか、貯湯タンク２中間部へもどすかが選択される。詳しくは、温水循環サーミスタ５２で検出される温度が、給湯や風呂追い焚きに必要とされる温度より高温であれば貯湯ユニットコントローラ１１の信号により循環三方弁２６が駆動し貯湯タンク２上部に温水がもどされ、温水循環サーミスタ５２で検出される温度が給湯や風呂追い焚きに必要とされる温水温度より低温の場合には循環三方弁２６が駆動しタンク側温水循環経路２７を経由し貯湯タンク２中間部へ温水がもどされる。
【００３６】
滅菌処理中で風呂追い焚きを行う場合においては、熱源給水遮断弁４０は閉状態で且つ加熱給水遮断弁４１は開状態となっており、貯湯タンク２下部から熱源機３へ温水がおくられる。熱源機３でレジオネラ菌などの雑菌が瞬時に死滅する温度（例えば８５℃）まで加熱された温水は風呂用電磁弁２５を開くことにより、風呂温水循環経路１９へ導かれる。風呂温水循環経路１９へ導かれた温水は風呂用熱交換器４により熱交換され、温水循環経路１６を経由し貯湯タンク２へもどされる。このとき、温水循環サーミスタ５２で検出される温度が、貯湯タンク２に取り付けた温度検出手段である貯湯サーミスタ６２より高温の場合には循環三方弁２６が駆動し貯湯タンク２上部に温水がもどされ、温水循環サーミスタ５２で検出される温度が貯湯サーミスタ６２より低温の場合には循環三方弁２６が駆動し貯湯タンク２中間部へ温水がもどされる。
【００３７】
かかる形態によれば、温水循環経路１６を経由し、貯湯タンク２へ戻される温水の温度が低い場合であっても、貯湯タンク２上層部の温度成層状態を崩すことがなく、貯湯タンク２上層部の温水は給湯や風呂追い焚きなどに必要とされる温水温度を下回ることがなく、安定している。これにより安定した温度の温水を給湯や風呂追い焚きなどへ供給し続けることができる。
【００３８】
（実施の形態３）
図３は、本発明の実施の形態３における貯湯式給湯装置の構成図である。図３において、図１および図２と同じ構成要素については同じ符号を用い、説明を省略する。
【００３９】
図３の貯湯式給湯装置は、温水循環経路１６を流れる温水を熱源給水経路７へもどすか、貯湯タンク２上部にもどすかを選択するための切替手段である循環三方弁２６を備えている。
【００４０】
図３において、実施の形態２と同じく、滅菌処理中などの特別な運転状態でない場合に使用者が風呂追い焚きを行う場合、貯湯ユニットコントローラ１１が温水循環ポンプ１８を駆動させるとともに風呂温水循環経路１９に備えてある風呂用電磁弁２５を開くことにより貯湯タンク２の温水は熱源給水経路７を経由し熱源機３におくられる。
【００４１】
熱源機３におくられた温水は、風呂追い焚きに必要とされる温度以上であれば熱源機３で加熱することなく温水循環経路１６へおくられ、風呂追い焚きに必要とされる温度より低い温度であれば熱源機３で加熱され温水循環経路１６へおくられる。
【００４２】
温水循環経路１６へおくられた温水は温水循環経路１６より分岐された風呂温水循環経路１９へ導かれ、風呂用熱交換器４により熱交換される。風呂用熱交換器４により熱交換された温水は温水循環経路１６を経由し貯湯タンク２へ戻される。
【００４３】
このとき、風呂用熱交換器４を経由し温水循環経路１６を流れる温水は温水循環サーミスタ５２で検出される温度によって、貯湯タンク２上部にもどすか、熱源給水経路７へもどすかが選択される。詳しくは、温水循環サーミスタ５２で検出される温度が、給湯や風呂追い焚きに必要とされる温度より高温であれば貯湯ユニットコントローラ１１の信号により循環三方弁２６が駆動し貯湯タンク２上部に温水がもどされ、温水循環サーミスタ５２で検出される温度が給湯や風呂追い焚きに必要とされる温水温度より低温の場合には循環三方弁２６が駆動し、循環バイパス経路２８を経由し、熱源給水経路７へ温水がもどされる。
【００４４】
滅菌処理中で風呂追い焚きを行う場合においても、実施の形態２と同様に、貯湯タンク２下部から熱源機３へ温水がおくられる。熱源機３で加熱された温水は風呂用電磁弁２５を開くことにより、風呂温水循環経路１９へ導かれ風呂用熱交換器４により熱交換される。風呂用熱交換器４で熱交換された温水は温水循環経路１６を経由し貯湯タンク２へもどされる。このとき、温水循環サーミスタ５２で検出される温度が、貯湯タンク２に取り付けた温度検出手段である貯湯サーミスタ６２より高温の場合には循環三方弁２６が駆動し貯湯タンク２上部に温水がもどされ、温水循環サーミスタ５２で検出される温度が貯湯サーミスタ６２より低温の場合には循環三方弁２６が駆動し熱源給水経路７へ温水がもどされる。
【００４５】
かかる形態によれば、温水循環経路１６を経由し、貯湯タンク２へ戻される温水の温度が低い場合であっても、貯湯タンク２上層部の温度成層状態を崩すことがなく、貯湯タンク２上層部の温水は給湯や風呂追い焚きなどに必要とされる温水温度を下回ることがなく、安定している。これにより安定した温度の温水を給湯や風呂追い焚きなどへ供給し続けることができる。
【００４６】
（実施の形態４）
つぎに、図１を用いて滅菌処理中において、滅菌処理中に給湯に使用される熱量に応じて滅菌処理に使用される熱量を変化させることによりエネルギー効率を高める効果について説明する。
【００４７】
図１において、滅菌処理が開始されると、熱源給水遮断弁４０が閉状態となり、加熱給水遮断弁４１は開状態となる。貯湯タンク２下部から熱源機３への温水がおくられ、熱源機３でレジオネラ菌などの雑菌が瞬時に死滅する温度（例えば８５℃）まで加熱された温水は貯湯タンク２上部にかえされる。このとき、滅菌処理に使用される熱量は予め熱源機３の最大加熱能力範囲内に設定されている。滅菌処理に使用されている熱量は熱源機３で加熱されている熱量から給湯に使用されている熱量を差し引くことによってもとめられる。
【００４８】
詳しくは、熱源機３で加熱されている熱量は、熱源機３内部に取り付けた熱源機３へ流入する温水の温度検出手段である熱源入水サーミスタ４２と加熱された温水の温度検出手段である熱源出湯サーミスタ４３と熱源機３を流れる温水の水量を検出する手段である熱源流量センサ４４の信号によってもとめられる。
【００４９】
さらに給湯に使用されている熱量はリモコン１２より送られる使用者が要求する給湯温度の信号および給湯経路１７に取り付けられた第１給湯サーミスタ５０の温度信号、給水経路８に取り付けられた給水サーミスタ５１の温度信号、温水循環経路１６に取り付けられた温水循環サーミスタ５２の温度信号、さらには給水水量センサ１０の検出水量によりもとめられる。
【００５０】
滅菌処理中においては、滅菌処理に使用される熱量が熱源機３の最大加熱能力範囲内で最大となるよう制御される。詳しくは、滅菌処理に使用される熱量と給湯に使用されている熱量の総和が熱源機３の最大加熱能力となるよう滅菌処理に使用される熱量を変化させる。滅菌処理中に給湯が使用されていない場合には、滅菌処理に使用される熱量が熱源機３の最大加熱能力となるよう循環ポンプ１８を貯湯ユニットコントローラ１１の信号により駆動させ熱源機３を流れる温水の水量を調整し、滅菌処理中において給湯が使用された場合には、給湯と滅菌処理に使用される熱量の総和が熱源機３の最大加熱能力となるように循環ポンプ１８を駆動させ熱源機３を流れる温水の水量を調整する。すなわち、滅菌処理中には、給湯に使用される熱量が増加すれば、滅菌処理に使用される熱量は減少し、給湯に使用される熱量が減少すれば、滅菌処理に使用される熱量は増加する。
【００５１】
かかる形態によれば、滅菌処理中においては熱源機３の加熱能力を最大限使用するように滅菌処理に使用する熱量を調整する。これにより、滅菌処理中に給湯が使用されている状態においても滅菌処理を短時間で行うことができ、発電部１を用いて滅菌処理を行うよりも早く滅菌処理を完了することができるため貯湯タンク２に貯湯された温水は早期に給湯などに使用できる状態となり、熱源機３によって水道水などを直接加熱して給湯などに使用する時間が減り、エネルギー効率を高めることができる。
【００５２】
（実施の形態５）
つぎに、図１を用いて、滅菌処理終了の判定をすると貯湯タンク下部から熱源機へ温水がおくられるのを遮断し、貯湯タンク上部から熱源機へ温水がおくられる形態となることによりエネルギー効率を高める効果について説明する。
【００５３】
図１において、本実施形態の貯湯式給湯装置は、滅菌処理の終了判定手段を備えている。さらに貯湯タンク２には貯湯タンク２内部に貯湯された温水の温度を検出する複数の貯湯サーミスタ６１〜６４が取り付けられている。
【００５４】
滅菌処理の終了判定は、貯湯サーミスタ６１〜６４で検出される貯湯タンク２内部の温水の温度および滅菌処理開始後に滅菌処理に使用された熱量の総和をもって貯湯ユニットコントローラ１１が判断する。具体的には、滅菌処理開始後に滅菌処理に使用された熱量の総和が、滅菌処理開始時点で貯湯タンク２に貯湯された温水の全てを滅菌処理するのに
必要とされる最低限の熱量を下回らないこと且つ貯湯サーミスタ６１〜６４で検出される温度が滅菌処理の終了を許容する予め設定された温度（例えば８０℃）となった場合に滅菌処理が終了したものと貯湯ユニットコントローラ１１が判定する。
【００５５】
滅菌処理開始時点で滅菌処理に必要とされる最低限の熱量は、滅菌処理開始時点での貯湯サーミスタ６４で検出される温度と、確実に滅菌処理されたと判断される予め設定された温度（例えば８０℃）と、貯湯タンクの容量により、貯湯タンク２内に貯湯された温水を全て滅菌処理するのに必要な最低限の熱量がもとめられる。
【００５６】
貯湯ユニットコントローラ１１によって滅菌処理が終了したと判定されると、貯湯ユニットコントローラ１１の信号により熱源給水経路７に備えられた熱源給水遮断弁４０が開状態となり、加熱給水経路１５に備えられた加熱給水遮断弁４１は閉状態となる。これにより貯湯タンク上部から熱源機へ温水がおくられる形態となり、貯湯タンクの温水を給湯などに使用することができる状態となる。
【００５７】
かかる形態によれば、滅菌処理の終了の判定は、滅菌処理に必要とされる最低限の熱量と、貯湯タンク２内の温水温度によって判断されるため、貯湯タンク内に貯湯されていた温水は確実に滅菌処理される。さらに、滅菌処理終了後は自動的に貯湯タンク２上部の温水を使用する形態に切替わるため、滅菌処理に必要な熱量の過不足なく滅菌処理を完了することができ、エネルギー効率を高めることができる。
【産業上の利用可能性】
【００５８】
本発明の貯湯式給湯装置によれば、短時間で滅菌処理を行うことができ、滅菌処理中であっても給湯や風呂が使用できる給湯装置に適用できるものである。
【符号の説明】
【００５９】
１  発電部（ガス発電、燃料電池）
２  貯湯タンク
３  熱源機
４  風呂用熱交換器
６  給湯栓
７  熱源給水経路
８  給水経路
９  給湯給水経路
１０  給水水量センサ（給水水量検出手段）
１１  貯湯ユニットコントローラ
１２  リモコン
１３  給湯水量制御
１４  給水水量制御
１５  加熱給水経路
１６  温水循環経路
１７  給湯経路
１８  温水循環ポンプ（温水循環手段）
１９  風呂温水循環経路
２０  排熱回収用熱交換器
２１  排熱循環ポンプ
２２  排熱回収循環往路
２３  排熱回収循環復路
２５  風呂用電磁弁
２６  循環三方弁（切替手段）
２７  タンク側温水循環経路
２８  循環バイパス経路
３１  バーナ
３２  熱交換器
４０  熱源給水遮断弁（熱源給水経路遮断手段）
４１  加熱給水経路遮断弁（加熱給水経路遮断手段）
４２  熱源入水サーミスタ（温度検出手段）
４３  熱源出湯サーミスタ（温度検出手段）
４４  熱源流量センサ（水量検出手段）
５０  第１給湯サーミスタ
５１  給水サーミスタ
５２  温水循環サーミスタ
６０  熱源給水サーミスタ
６１〜６４  貯湯サーミスタ
【図１】
2010276208.tif 000003
【図２】
2010276208.tif 000004
【図３】
2010276208.tif 000005
【図４】
2010276208.tif 000006